(57)【要約】【課題】チップが保護され、金属物の鋭利な角により損傷を受けることがない電子回路ボードの損傷防止及びチップ保護を備えた防護カバー構造を提供する。【解決手段】ひとつの金属カバー３０が、５つの面が封じ合わされ、かつ下方に開口している構造体となっており、この金属カバー３０の周辺の側壁は外部に向かって広がっている状態を呈している。広がった角度は垂直線から外に約３０度が適しており、この金属カバー３０はまた周辺側壁の相対する部分に、外に向かって伸びるリベット穴３２を備える出っ張り３１が設けられている。その天井部下方はチップ天井部と接触し、この金属カバー３０上方にはさらに放熱板４０が備えられ、放熱板４０と電子回路ボード１０の間は固定され、同時に金属カバー３０が挟まれて固定される。【選択図】　　図１
0003097694.tif 000002
【実用新案登録請求の範囲】
【請求項１】
電子回路ボードの損傷を防ぎ、チップの保護をするカバー構造であって、
電子回路ボードのチップ上部に金属カバーが備えられ、この金属カバーは５つの面が封じ合わされ、かつ下方に開口している構造体であり、その天井部下方はチップ天井部と接触し、この金属カバー上方にはさらに放熱板が備えられ、放熱板と電子回路ボードの間は固定され、同時に金属カバーが挟まれて固定されることを特徴とする電子回路ボードの損傷防止及びチップ保護を備えた防護カバー構造。
【請求項２】
電子回路ボードのチップ周辺部に数個の挿入穴が設けられ、かつ金属カバー周辺の側壁において少なくとも１対の底部が延びて、リベット穴を備えた凸部となり、ふたつのリベットが凸部を貫くことで、金属カバーを直接電子回路ボード上に固定することが可能であることを特徴とする請求項１記載の電子回路ボードの損傷防止及びチップ保護を備えた防護カバー構造。
【請求項３】
金属カバーの周辺の側壁が外に向かって張り出した状態を呈していることを特徴とする請求項１記載の電子回路ボードの損傷防止及びチップ保護を備えた防護カバー構造。
【請求項４】
金属カバーの周辺側壁が外に向かって張り出した角度は、垂直線から外に向かって３０度の傾斜が適していることを特徴とする請求項３記載の電子回路ボードの損傷防止及びチップ保護を備えた防護カバー構造。
【請求項５】
金属カバーとチップの接触する面の間には導熱ペーストが塗られていることを特徴とする請求項１記載の電子回路ボードの損傷防止及びチップ保護を備えた防護カバー構造。
【請求項６】
金属カバーと、上方の放熱板の接触する面の間には導熱ペーストが塗られていることを特徴とする請求項１記載の電子回路ボードの損傷防止及びチップ保護を備えた防護カバー構造。
【考案の詳細な説明】
【０００１】
【考案の属する技術分野】
本考案は、電子回路ボードの損傷防止及びチップ保護を備えた防護カバー構造に関する。
【０００２】
【従来の技術】
一般的に演算能力の比較的早い高級な電子回路ボードにおいては、ほとんどの場合比較的高級な（演算能力の早い）チップの配置が必要となり、とりわけ立体３Ｄ動画専用のグラフィック能力の比較的高いグラフィックカード及び高性能なコンピュータ用ボードにおいては、極めて優れたチップを組み込む必要がある。
【０００３】
【考案が解決しようとする課題】
しかしながら、この種の解析、演算能力の比較的優れたチップは価格が高く、また処理過程において極めて容易に発熱する。従ってチップの上部に放熱板、ファン、さらに放熱板の固定具を備え付けることが必要となる。しかしこのような放熱板の固定具、ファンなどは全て一種の消耗品であり、高価な電子回路ボード上において一定期間のメンテナンスの際、古い消耗部品の交換が必要である。しかし放熱板を外したり取り付けたりする際、その金属製固定具或いは放熱板の周辺部或いは角が、組み込む際空間の位置的に作業しづらいため、或いは組付け、取り外しの際、不注意により極めて容易にチップの表面を傷つけたり、はたまたチップを破損させることにより、高価な電子回路ボードをもまた不能或いはひどく損傷を受ける。従って高価な電子回路ボードの中には多くの壊れやすい部品があることを鑑み、組付け、取り外しの間は空間の位置的に作業しづらいため、鋭利な金属物でチップを傷つけたり、破損させたりし、これは使用者がよく経験することで、解決すべきである。
【０００４】
したがって本考案の目的は、チップが保護され、金属物の鋭利な角により損傷を受けることがない電子回路ボードの損傷防止及びチップ保護を備えた防護カバー構造を提供することにある。
【０００５】
【課題を解決するための手段】
上述の目的を達成するために、本考案の請求項に記載の電子回路ボードの損傷防止及びチップ保護を備えた防護カバー構造は、一種の電子回路ボードの損傷を防ぎ、チップの保護をするカバー構造であって、主に電子回路ボードのチップ上部に金属カバーが備えられ、この金属カバーは５つの面が封じ合わされ、かつ下方に開口している構造体である。その天井部下方はチップ天井部と接触し、この金属カバー上方にはさらに放熱板が備えられ、放熱板と電子回路ボードの間は固定され、同時に金属カバーが挟まれて固定される。
【０００６】
【考案の実施の形態】
以下、本考案の実施例を図面に基づいて説明する。
図１、図３に示すように本考案の実施例は電子回路ボード１０上の高級演算チップ２０（例：グラフィックカードのグラフィックチップ或いはメインボードの中央処理器ＣＰＵ）上にあり、周辺部には、少なくとも１対の挿入穴１１挿入穴１２が設けられている。
【０００７】
ひとつの金属カバー３０が、５つの面が封じ合わされ、かつ下方に開口している構造体となっており、この金属カバー３０の周辺の側壁は外部に向かって広がっている状態を呈している。かつ広がった角度は垂直線から外に約３０度が適しており、この金属カバー３０はまた周辺側壁の相対する部分に、外に向かって伸びるリベット穴３２を備える出っ張り３１が設けられている。
【０００８】
図１、図２、図３に示すように本実施例では金属カバー３０はチップ２０本体全体を覆って置かれ、同時に金属カバー３０とチップ２０の接触面には導熱ペースト６０の層がひとつ設けられ、チップ２０で生じた熱を均一に金属カバー３０上に伝える。金属カバー３０上部にはさらに放熱板４０及びファン７０などの装置が設けられ放熱する。放熱板４０と電子回路ボード１０の間の固定は、金属カバー３０を間にはさんで行われる。このうち、金属カバー３０と放熱板４０の間には導熱ペースト６１の層がひとつ設けられている。
【０００９】
上述した放熱板４０と電子回路ボード１０の間の固定方式の一種の実施例として、放熱板４０の相対する側面に凸部が設けられ、リベット穴の固定部４１を持ち、ふたつのリベット５０が固定部４１を貫くことで、電子回路ボード１０上の挿入穴１２に固定される。また放熱板４０の上部にはファン７０が設置され、放熱効果を増加させる。
【００１０】
図１、図２、図４に示すように、金属カバー３０本体は電子回路ボード１０上に固定されている。すなわちリベット穴３２を備えた凸部３１が電子回路ボード１０のもうひとつの挿入穴１１に合わされ、２本のリベット５１が貫くことにより、金属カバー３０が直接電子回路ボード１０上に固定される。金属カバー３０と放熱板４０はそれぞれ別々に電子ボード上に固定され、図２、図５に示すように、金属カバー３０の凸部３１と放熱板４０の固定部４１は相対した状態に置かれているため、リベット締めを更に容易なものにしている。
【００１１】
本案は設計上の工夫により、実施上、下のようないくつかの長所を有する。
本案はチップ上部にひとつの金属カバーを置き、かつ金属カバーとチップ天井部は接触しているため、チップを傷つきや損傷から保護可能で、使用上の破損を減少させ、チップの使用寿命を延ばす。これが本案の主要な長所となる。
【００１２】
金属カバー周辺の側壁は外に向かって広がった状態を呈しているため、カバーのチップ上での安定性が高まり、かつ天井部がさらに容易にチップに貼り付けることが可能となる。これもまた本案の長所のひとつです。
【００１３】
金属カバーはチップ、放熱板との接触面において導熱ペーストが塗られており、チップ上の熱を均一かつ迅速に放出することが可能で、上部に設けられた放熱板による吸収も容易になることも、また本案の長所のひとつである。
本創作者は不断に進歩を求める積極的姿勢により、まず本製品を創り出し、上述の如くチップを傷つき、損傷から保護するという長所をもち、使用上の人為的破損を減少させ、チップの寿命を延ばす。産業において利用価値をもち、新型特許申請の要件に符合していることから、ここに申請を提出し、ならびに貴審査委員が早期に新型特許を賜りくださることを御願い申し上げます。
【図面の簡単な説明】
【図１】本考案の一実施例による電子回路ボードの損傷防止及びチップ保護を備えた防護カバー構造を示す構造分解図である。
【図２】本考案の一実施例による電子回路ボードの損傷防止及びチップ保護を備えた防護カバー構造を組み込んだ状態を示す図である。
【図３】本考案の一実施例による電子回路ボードの損傷防止及びチップ保護を備えた防護カバー構造を縦からみた分解図である。
【図４】本考案の一実施例による電子回路ボードの損傷防止及びチップ保護を備えた防護カバー構造を別の方向からみた分解図である。
【図５】本考案の一実施例による電子回路ボードの損傷防止及びチップ保護を備えた防護カバー構造を組み込んだ状態を示す図である。
【符号の説明】
１０　　電子回路ボード
１１　　挿入穴
１２　　挿入穴
２０　　チップ
３０　　カバー
３１　　凸部
３２　　リベット穴
４０　　放熱板
４１　　固定部
５０　　リベット
５１　　リベット
６０　　導熱ペースト
６１　　導熱ペースト
７０　　ファン
【図１】
0003097694.tif 000003
【図２】
0003097694.tif 000004
【図３】
0003097694.tif 000005
【図４】
0003097694.tif 000006
【図５】
0003097694.tif 000007